(57)【要約】【課題】  図面に記された住宅設備品の実際の面積を容易に把握することの可能な面積把握用テンプレートを提供する。【解決手段】  面積把握用テンプレート１は、図面に記された住宅設備品の実際の面積を把握するためのものであって、透過性を有する平板状の本体２と、本体２上において少なくとも一の種類の住宅設備品の複数の形状をそれぞれ所定の縮尺率で表示した複数の形状表示部３と、を備えている。図面の縮尺率に対応した縮尺率の面積把握用テンプレート１を準備し、面積把握用テンプレート１を図面上の住宅設備品にあてがって当該住宅設備品と同形状、同サイズの形状表示部３を探すだけで、図面に記された住宅設備品の実際の面積を把握することが可能となる。【選択図】図１
0003230153.tif 000002
【実用新案登録請求の範囲】
【請求項１】
図面に記された住宅設備品の実際の面積を把握するための面積把握用テンプレートであって、
透過性を有する平板状の本体と、
前記本体上において少なくとも一の種類の住宅設備品の複数の形状をそれぞれ所定の縮尺率で表示した複数の形状表示部と、
を備えたことを特徴とする面積把握用テンプレート。
【請求項２】
前記本体上には、各形状表示部に対応する住宅設備品の縮尺前の面積及び縦横の寸法の少なくとも一方が表示されていることを特徴とする請求項１に面積把握用テンプレート。
【請求項３】
縦又は横の長さが同じ住宅設備品の形状表示部は、隣接して配置されていることを特徴とする請求項１又は２に面積把握用テンプレート。
【考案の詳細な説明】
【技術分野】
【０００１】
本考案は、図面に記された住宅設備品の実際の面積を容易に把握することの可能な面積把握用テンプレートに関する。
【背景技術】
【０００２】
従来より、輪郭印書き込み用の切り込み孔３、６、７と、面積を示す四角形状の図形４、５と、を備えたレイアウト用装置が知られている（例えば、特許文献１参照）。
【先行技術文献】
【特許文献】
【０００３】
【特許文献１】実用新案登録第３２０８５７６号
【考案の概要】
【考案が解決しようとする課題】
【０００４】
ところで、例えば、住居の外壁に塗装を行う際には、外壁の面積からサッシ等の面積を減算した面積に基づき見積もりを行うが、サッシにも様々なサイズのものがあるため、図面上の複数のサッシの寸法をそれぞれ測った上で面積を算出するという労力が必要になっていた。
【０００５】
上記特許文献１では、“面積を示す四角形状の図形４、５”は、単に面積を示しているだけであり、輪郭印書き込み用の切り込み孔３、６、７（机や椅子等の形状）に対応しているわけではないため、これを用いて、図面に記されたサッシ等の住宅設備品の面積を把握することはできない。
【０００６】
そこで、本考案は、図面に記された住宅設備品の実際の面積を容易に把握することの可能な面積把握用テンプレートを提供することを目的としている。
【課題を解決するための手段】
【０００７】
上記課題を解決するために、本考案は、図面に記された住宅設備品の実際の面積を把握するための面積把握用テンプレートであって、透過性を有する平板状の本体と、前記本体上において少なくとも一の種類の住宅設備品の複数の形状をそれぞれ所定の縮尺率で表示した複数の形状表示部と、を備えたことを特徴とする面積把握用テンプレートを提供している。
【０００８】
このような構成によれば、図面の縮尺率に対応した縮尺率の面積把握用テンプレートを準備し、面積把握用テンプレートを図面上の住宅設備品にあてがって当該住宅設備品と同形状、同サイズの形状表示部を探すだけで、図面に記された住宅設備品の実際の面積を把握することが可能となる。また、本体が透過性を有しているので、対応する形状表示部を探すことも容易である。
【０００９】
また、前記本体上には、各形状表示部に対応する住宅設備品の縮尺前の面積及び縦横の寸法の少なくとも一方が表示されていることが好ましい。
【００１０】
このような構成によれば、必要とする住宅設備品の実際の面積を即座に把握することが可能となる。
【００１１】
また、縦又は横の長さが同じ住宅設備品の形状表示部は、隣接して配置されていることが好ましい。
【００１２】
このような構成によれば、目的とする形状表示部３を探し出すことがより容易になる。
【考案の効果】
【００１３】
本考案の面積把握用テンプレートによれば、図面に記された住宅設備品の実際の面積を容易に把握することが可能となる。
【図面の簡単な説明】
【００１４】
【図１】本考案の実施の形態による面積把握用テンプレートの平面図
【考案を実施するための形態】
【００１５】
以下で、本考案の実施の形態による面積把握用テンプレート１について、図１を参照して説明する。
【００１６】
面積把握用テンプレート１は、図面に記された住宅設備品の実際の面積を把握するためのものであって、図１に示すように、透過性を有する平板状の本体２と、本体２上において少なくとも一の種類の住宅設備品の複数の形状をそれぞれ所定の縮尺率で表示した複数の形状表示部３と、を備えている。
【００１７】
形状表示部３としては、対応する住宅設備品の形状に合わせて本体２から切り抜かれたものが考えられる。なお、本実施の形態における住宅設備品の形状とは、図面に表示された平面視における形状を意味する。
【００１８】
住宅設備品の種類としては、サッシ、階段、ドア、換気口等が考えらえるが、図１では、様々な形状のサッシの形状が所定の縮尺率で表示された例を示している。本実施の形態では、所定の縮尺率は、上記図面の縮尺率と同じ値である。
【００１９】
また、本体２上には、各形状表示部３に対応する住宅設備品の縮尺前の面積が表示されている。図１では、各形状表示部３の下部に面積が示されている。なお、本実施の形態における縮尺前の面積とは、図面に表示された平面視における面積を意味する。
【００２０】
更に、本実施の形態では、図１に示すように、縦又は横の長さが同じ住宅設備品の形状表示部３は、隣接して配置されている。
【００２１】
以上説明したように、本実施の形態による面積把握用テンプレート１では、透過性を有する平板状の本体２と、前記本体上において少なくとも一の種類の住宅設備品の複数の形状をそれぞれ所定の縮尺率で表示した複数の形状表示部３を備えている。
【００２２】
このような構成によれば、図面の縮尺率に対応した縮尺率の面積把握用テンプレート１を準備し、面積把握用テンプレート１を図面上の住宅設備品にあてがって当該住宅設備品と同形状、同サイズの形状表示部３を探すだけで、図面に記された住宅設備品の実際の面積を把握することが可能となる。また、本体２が透過性を有しているので、対応する形状表示部３を探すことも容易である。
【００２３】
また、本実施の形態による面積把握用テンプレート１では、本体２上には、各形状表示部３に対応する住宅設備品の縮尺前の面積が表示されている。
【００２４】
このような構成によれば、必要とする住宅設備品の実際の面積を即座に把握することが可能となる。
【００２５】
また、本実施の形態による面積把握用テンプレート１では、縦又は横の長さが同じ住宅設備品の形状表示部３は、隣接して配置されている。
【００２６】
このような構成によれば、目的とする形状表示部３を探し出すことがより容易になる。
【００２７】
尚、本考案の面積把握用テンプレートは、上述した実施の形態に限定されず、実用新案登録請求の範囲に記載した範囲で種々の変形や改良が可能である。
【００２８】
例えば、上記実施の形態では、各形状表示部３は本体２から切り抜かれていたが、例えば、本体２から切り抜かずに住宅設備品の外枠のみを表示したものを形状表示部３として採用しても良い。この場合、各形状表示部３内に面積を表示しても良い。
【００２９】
また、面積は、必ずしも本体２上に表示されている必要はなく、面積把握用テンプレート１に対応した対応表を別途準備し、当該対応表に面積を記載しても良い。
【００３０】
また、上記実施の形態では、面積把握用テンプレート１の中に、一の縮尺率に対応した形状表示部３が表示されたが、複数の縮尺率に対応した形状表示部３を表示しても良い。この場合には、縮尺率を間違えないように縮尺率ごとに離した位置で表示することが好ましい。
【００３１】
また、上記実施の形態では、一の種類の住宅設備品（サッシ）に対応する複数の形状表示部３が表示されたが、複数の種類の住宅設備品（サッシ、階段、ドア、換気口等）に対応する複数の形状表示部３を表示しても良い。
【符号の説明】
【００３２】
１          面積把握用テンプレート
２          本体
３          形状表示部
【図１】
0003230153.tif 000003
【手続補正書】
【提出日】令和2年10月30日(2020.10.30)
【手続補正１】
【補正対象書類名】実用新案登録請求の範囲
【補正対象項目名】請求項１
【補正方法】変更
【補正の内容】
【請求項１】
住宅設備品が記された図面において前記住宅設備品の実際の面積を把握するための面積把握用テンプレートであって、
透過性を有する平板状の本体と、
前記本体上において少なくとも一の種類の住宅設備品の複数の形状をそれぞれ所定の縮尺率で表示した複数の形状表示部と、
を備えたことを特徴とする面積把握用テンプレート。